(57)【要約】【課題】  埃やツバキなどが表示面に付着するのを抑制して、表示面に保護フィルムを良好に貼り付けることを可能にする。【解決手段】  スマートフォン１００の表示面１０１に保護フィルムを貼り付けるためのスマートフォン用保護フィルム貼付補助具１であり、平板状で、表示面１０１を上に向けてスマートフォン１００が載置されるベース２と、透明でベース２に対して開閉自在なカバー３と、を備え、カバー３は、閉じた状態で、ベース２の上側と手前側と奥側とを覆い、ベース２の左右両側が開放されて人の手を挿入可能となっている。【選択図】  図１
2016019102.tif 000002
【特許請求の範囲】
【請求項１】
スマートフォンの表示面に保護フィルムを貼り付けるためのスマートフォン用保護フィルム貼付補助具であり、
平板状で、前記表示面を上に向けて前記スマートフォンが載置されるベースと、
透明で前記ベースに対して開閉自在なカバーと、を備え、
前記カバーは、閉じた状態で、前記ベースの上側と手前側と奥側とを覆い、前記ベースの左右両側が開放されて人の手を挿入可能となっている、
ことを特徴とするスマートフォン用保護フィルム貼付補助具。
【請求項２】
前記カバーは、前記ベースの一側縁を軸にして回動することで開閉自在となっている、
ことを特徴とする請求項１に記載のスマートフォン用保護フィルム貼付補助具。
【請求項３】
前記ベースの上面に、前記スマートフォンに密着して前記スマートフォンを仮固定する密着シートが設けられている、
ことを特徴とする請求項１または２のいずれか１項に記載のスマートフォン用保護フィルム貼付補助具。
【発明の詳細な説明】
【技術分野】
【０００１】
この発明は、スマートフォン（多機能携帯電話）の表示面に保護フィルムを貼り付ける際に使用する、スマートフォン用保護フィルム貼付補助具に関する。
【背景技術】
【０００２】
スマートフォンの表示面が傷ついたり汚れたりするのを防止するために、表示面に保護フィルムを貼り付けることが一般的に行われている。しかしながら、薄くて曲がりやすい保護フィルムをスマートフォンの表示面に、正確に位置を合わせて、しかも空気が入ったりシワが生じたりしないように貼り付けるは、容易ではない。このため、表示面に対して保護フィルムを正確かつ容易に貼り付けることを可能にする、という保護フィルム貼付用治具が知られている（例えば、特許文献１参照。）。
【０００３】
この保護フィルム貼付用治具は、スマートフォンのケースに固定される第１固定部と第２固定部を備え、第１固定部と第２固定部は、保護フィルムが取り付けられるフィルム取付部を備えている。そして、第１固定部と第２固定部がスマートフォンのケースに固定された場合に、フィルム取付部に取り付けられた保護フィルムが表示面に対向し、保護フィルムを表示面に押し付けて貼り付けるものである。
【先行技術文献】
【特許文献】
【０００４】
【特許文献１】特開２０１４−００２２４６号公報
【発明の概要】
【発明が解決しようとする課題】
【０００５】
ところで、保護フィルムの貼り付けは、スマートフォンの表示面が開放された状態で行われるため、次のような問題が生じることを本願発明者は発見した。すなわち、保護フィルムを表示面に貼り付ける前に、大気中の埃や塵などが表示面に舞い落ち、その後、保護フィルムを貼り付けると、表示面と保護フィルムとの間に埃や塵などが滞留して仕上がり具合が悪くなる場合がある。しかも、スマートフォンの販売店や家電販売店などで保護フィルムの貼り付けを依頼する場合、店員と依頼者とが対面して会話をしながら保護フィルムの貼り付けを行う。このため、時間を要して大気中の埃や塵などが表示面に舞い落ちやすくなるばかりでなく、店員や依頼者のツバキが表示面に飛び散る場合もあり、仕上がり具合がより悪くなるおそれがある。
【０００６】
一方、特許文献１の治具を使用しても、保護フィルムをフィルム取付部に取り付けるまでは表示面が開放されているため、表示面に埃や塵、ツバキなどが付着、滞留する場合があることに変わりはない。また、フィルム取付部に取り付けるための貫通孔を有する、特別の保護フィルムしか使用することができず、汎用性が低い。
【０００７】
そこでこの発明は、埃やツバキなどが表示面に付着するのを抑制して、表示面に保護フィルムを良好に貼り付けることを可能にする、スマートフォン用保護フィルム貼付補助具を提供することを目的とする。
【課題を解決するための手段】
【０００８】
上記課題を解決するために、請求項１の発明は、スマートフォンの表示面に保護フィルムを貼り付けるためのスマートフォン用保護フィルム貼付補助具であり、平板状で、前記表示面を上に向けて前記スマートフォンが載置されるベースと、透明で前記ベースに対して開閉自在なカバーと、を備え、前記カバーは、閉じた状態で、前記ベースの上側と手前側と奥側とを覆い、前記ベースの左右両側が開放されて人の手を挿入可能となっている、ことを特徴とする。
【０００９】
この発明によれば、カバーを開けてベースにスマートフォンを載置し、スマートフォンの表示面を布などで拭いてカバーを閉じる。これにより、ベース（スマートフォン）の上側と手前側と奥側とが覆われ、埃やツバキなどがスマートフォンの表示面に付着するのが防止、抑制される。そして、ベースの左右両側から手を入れて、カバー越しに目視確認しながら表示面に保護フィルムを貼り付ける。
【００１０】
請求項２の発明は、請求項１に記載のスマートフォン用保護フィルム貼付補助具において、前記カバーは、前記ベースの一側縁を軸にして回動することで開閉自在となっている、ことを特徴とする。
【００１１】
請求項３の発明は、請求項１または２に記載のスマートフォン用保護フィルム貼付補助具において、前記ベースの上面に、前記スマートフォンに密着して前記スマートフォンを仮固定する密着シートが設けられている、ことを特徴とする。
【発明の効果】
【００１２】
請求項１の発明によれば、カバーを閉じることで、ベース（スマートフォン）の上側と手前側と奥側とが覆われ、この状態で保護フィルムを貼り付けるため、埃やツバキなどがスマートフォンの表示面に付着することが防止、抑制される。この結果、表示面に保護フィルムを良好に貼り付けることが可能となる。つまり、表示面と保護フィルムとの間に埃やツバキなどが滞留することが削減され、仕上がり具合（貼り付け外観）が良好となる。
【００１３】
請求項２の発明によれば、カバーが、ベースの一側縁を軸にして回動することで開閉自在となっているため、カバーを回動させるだけ容易かつ迅速に開閉することができる。このため、カバーを迅速に閉じて、埃やツバキなどがスマートフォンの表示面に付着するのをより防止、抑制することが可能となり、その結果、表示面に保護フィルムを良好に貼り付けることが可能となる。
【００１４】
請求項３の発明によれば、ベースの上面に、スマートフォンを仮固定する密着シートが設けられているため、スマートフォンが動かず、より容易かつ迅速、良好に保護フィルムを貼り付けることが可能となる。しかも、密着シートがスマートフォンに密着して仮固定するだけであるため、複雑な固定操作などが不要で、容易かつ迅速にスマートフォンを仮固定することができる。
【図面の簡単な説明】
【００１５】
【図１】この発明の実施の形態に係るスマートフォン用保護フィルム貼付補助具を示す斜視図である。
【図２】図１のスマートフォン用保護フィルム貼付補助具の平面図である。
【図３】図１のスマートフォン用保護フィルム貼付補助具の側面図である。
【図４】図１のスマートフォン用保護フィルム貼付補助具のカバーを開けた状態を示す側面図である。
【発明を実施するための形態】
【００１６】
以下、この発明を図示の実施の形態に基づいて説明する。
【００１７】
図１から図４は、この発明の実施の形態を示し、図１は、この実施の形態に係るスマートフォン用保護フィルム貼付補助具１を示す斜視図である。このスマートフォン用保護フィルム貼付補助具１は、スマートフォン１００の表示面１０１に保護フィルムを貼り付けるための補助具であり、主として、ベース２と、カバー３と、密着シート４とを備えている。ここで、保護フィルムは、図示していないが、表示面１０１と同等の平面形状を有する樹脂製やガラス製のフィルムで、表示面１０１と対向する下面に接着剤が塗布されている。
【００１８】
ベース２は、平板状で、表示面１０１を上に向けてスマートフォン１００が載置されるものである。具体的には、樹脂製で、平面形状が四角形状の板状で、後述する密着シート４を介して、表示面１０１を上に向けて、つまりスマートフォン１００の背面をベース２側に向けて、スマートフォン１００が載置される。このベース２の平面形状は、スマートフォン１００よりも大きく、スマートフォン１００が載置されてカバー３が閉じられた状態で、周囲からの埃やツバキなどがスマートフォン１００の表示面１０１に付着するのを防止、抑制でき、かつ、保護フィルムの貼り付けがしやすいように設定されている。
【００１９】
密着シート４は、ベース２の上面中央部に設けられ、スマートフォン１００に密着してスマートフォン１００を仮固定するシートである。具体的には、人工皮革で構成され、スマートフォン１００の背面に密着してスマートフォン１００が容易に（表示面１０１を布などで拭いた程度では）動かないようになっている。また、密着シート４の平面形状は、スマートフォン１００よりも大きく、スマートフォン１００を無造作に置いても、スマートフォン１００の背面全面が密着シート４に接するように設定されている。
【００２０】
カバー３は、透明でベース２に対して開閉自在で、閉じた状態で、ベース２（スマートフォン１００）の上側と手前側と奥側とを覆い、ベース２の左右両側が開放されて人の手を挿入可能となっている。具体的には、透明なアクリル板をコ字状に曲げて構成され、上面部３１と前面部３２と背面部３３とを有している。
【００２１】
上面部３１は、ベース２と同等の平面形状・大きさで、カバー３を閉じた状態で、図１、２に示すように、ベース２の上側全体を覆うように（ベース２全面に対向するように）なっている。また、前面部３２は、上面部３１の手前の側縁から下方に折曲って延び、略四角い板状で、ベース２と上面部３１の手前側の間を覆うようになっている。この前面部３２のベース２側の両角部３２ａは、円弧状（Ｒ状）に形成され、これにより、ベース２の手前側からスマートフォン１００側に手を入れて作業がしやすいようになっている。
【００２２】
背面部３３は、上面部３１の奥側・後側の側縁から下方に折曲って延び、略四角い板状で、ベース２と上面部３１の奥側の間を覆うようになっている。この背面部３３の下端部は、図３に示すように、ベース２の奥側の側面と蝶番５を介して接続され、これにより、カバー３が、図４に示すように、ベース２の奥側の一側縁（蝶番５）を軸にして回動可能となり、カバー３が回動することでベース２に対して開閉自在となっている。
【００２３】
このようなカバー３を閉じた状態では、図１、３に示すように、ベース２の上側と手前側と奥側とがカバー３で覆われ、ベース２の左右両側が開放されて人の手を挿入できるようになっている。ここで、カバー３を閉じた際にベース２との間に形成される空間、つまり、上面部３１と前面部３２と背面部３３の大きさ・高さは、スマートフォン１００がベース２に載置された状態で、周囲からの埃やツバキなどがスマートフォン１００の表示面１０１に付着するのを防止、抑制でき、かつ、左右両側の開口から手を入れて保護フィルムの貼り付け作業がしやすいように設定されている。
【００２４】
また、前面部３２の最下端部には、第１のクッション６１が設けられ、背面部３３の表面上部には、第２のクッション６２が設けられている。このクッション６１、６２は、衝撃吸収性を有する材料（例えば、ウレタン）で構成されている。そして、図１、３に示すように、カバー３を閉じた際に第１のクッション６１がベース２に当接することで衝撃が吸収、緩和され、図４に示すように、カバー３を開けた際に第２のクッション６２が、本補助具１が置かれたテーブルなどに当接することで衝撃が吸収、緩和されるようになっている。
【００２５】
次に、このような構成のスマートフォン用保護フィルム貼付補助具１の作用および使用方法などについて説明する。
【００２６】
まず、カバー３を開けて、ベース２上の密着シート４にスマートフォン１００を載置すると、スマートフォン１００が密着シート４に密着して容易には動かないようになる。この状態で、スマートフォン１００の表示面１０１上の埃などを布などで拭き取って、素早くカバー３を閉じる。これにより、ベース２（スマートフォン１００）の上側と手前側と奥側とがカバー３で覆われ、埃やツバキなどがスマートフォン１００の表示面１０１に付着するのが防止、抑制される。そして、ベース２（カバー３）の左右両側から手を入れて、カバー３越しに目視確認しながら表示面１０１に保護フィルムを貼り付けるものである。
【００２７】
以上のように、このスマートフォン用保護フィルム貼付補助具１によれば、カバー３を閉じることで、ベース２（スマートフォン１００）の上側と手前側と奥側とが覆われ、この状態で保護フィルムを貼り付けるため、埃やツバキなどがスマートフォン１００の表示面１０１に付着することが防止、抑制される。この結果、表示面１０１に保護フィルムを良好に貼り付けることが可能となる。つまり、表示面１０１と保護フィルムとの間に埃やツバキなどが滞留することが削減され、仕上がり具合（貼り付け外観）が良好となる。
【００２８】
また、カバー３が、ベース２の奥側の側面に取り付けられた蝶番５を軸にして回動することで開閉自在となっているため、カバー３を回動させるだけ容易かつ迅速に開閉することができる。このため、スマートフォン１００の表示面１０１を布などで拭いた後にカバー３を迅速に閉じて、埃やツバキなどが表示面１０１に付着するのをより防止、抑制することが可能となり、その結果、表示面１０１に保護フィルムを良好に貼り付けることが可能となる。
【００２９】
さらに、ベース２の上面に、スマートフォン１００を仮固定する密着シート４が設けられているため、スマートフォン１００が動かず、より容易かつ迅速、良好に保護フィルムを貼り付けることが可能となる。しかも、密着シート４がスマートフォン１００に密着して仮固定するだけであるため、複雑な固定操作などが不要で、密着シート４上にスマートフォン１００を置くだけで、容易かつ迅速にスマートフォン１００を仮固定することができる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、密着シート４が人工皮革で構成されているが、ウレタンなどで構成してもよい。また、カバー３がコ字状に形成されているが、半円弧状などに形成してもよい。さらに、ベース２の奥側の一側縁（蝶番５）を軸にしてカバー３が回動することで、カバー３が開閉自在となっているが、その他の構造・機構によって開閉するようにしてもよい。例えば、ベース２に対してカバー３が左右方向（横方向）にスライドすることで、開閉するようにしてもよい。
【符号の説明】
【００３１】
１        スマートフォン用保護フィルム貼付補助具
２        ベース
３        カバー
３１      上面部
３２      前面部
３３      背面部
４        密着シート
５        蝶番（一側縁）
６１      第１のクッション
６２      第２のクッション
１００    スマートフォン
１０１    表示面
【図１】
2016019102.tif 000003
【図２】
2016019102.tif 000004
【図３】
2016019102.tif 000005
【図４】
2016019102.tif 000006